(57)【要約】  非代表通信端末である通信端末（１０）において、受信部（１３）が、基地局から送信された、自身が属するグループにおける代表通信端末である通信端末（１０）と基地局との間のパスロスに関する情報を受信する。そして、送信電力決定部（３３）は、受信部（１３）で受信したパスロスに関する情報に基づいて、自身の送信電力を決定する。
2014162576.tif 000002
【特許請求の範囲】
【請求項１】
複数の通信端末を含むグループと、基地局とを具備し、
前記グループの内の第１通信端末は、
前記第１通信端末と前記基地局との間のパスロスを推定する推定部と、
前記推定したパスロスに関する情報を前記基地局へ送信する送信部と、
を具備し、
前記基地局は、
前記第１通信端末から送信された前記パスロスに関する情報を受信する受信部と、
前記受信したパスロスに関する情報を、前記グループにおける前記第１通信端末以外の第２通信端末へ送信する送信部と、
を具備し、
前記第２通信端末は、
前記基地局から送信された前記パスロスに関する情報を受信する受信部と、
前記受信したパスロスに関する情報に基づいて、前記第２通信端末の送信電力を決定する決定部と、
を具備する、
ことを特徴とする通信システム。
【請求項２】
前記第２通信端末は、動作モードとスリープモードとを有し、
前記基地局の前記送信部は、前記スリープモードである前記第２通信端末に対して、動作モードに切り替える制御信号と共に前記パスロスに関する情報を送信する、
ことを特徴とする請求項１に記載の通信システム。
【請求項３】
前記基地局の前記送信部は、前記動作モードに切り替える制御信号と前記パスロスに関する情報を、前記第２通信端末への個別メッセージで送信する、
ことを特徴とする請求項２に記載の通信システム。
【請求項４】
第１のグループに含まれる各第２通信端末と前記第１のグループの前記第１通信端末との距離は、第２のグループに含まれる各通信端末と前記第１グループの前記第１通信端末との距離よりも短い、
ことを特徴とする請求項１に記載の通信システム。
【請求項５】
基地局から送信された、自身が属するグループにおける自身以外の第１通信端末と前記基地局との間のパスロスに関する情報を受信する受信部と、
前記受信したパスロスに関する情報に基づいて、自身の送信電力を決定する決定部と、
を具備することを特徴とする通信端末。
【請求項６】
前記通信端末は、動作モードとスリープモードとを有し、
前記受信部は、前記パスロスに関する情報を、前記スリープモードから前記動作モードに切り替える制御信号と共に受信する、
ことを特徴とする請求項５に記載の通信端末。
【請求項７】
複数の通信端末を含むグループの内の第１の通信端末から送信された、前記第１通信端末と自身との間のパスロスに関する情報を受信する受信部と、
前記受信したパスロスに関する情報を、前記グループにおける前記第１通信端末以外の第２通信端末へ送信する送信部と、
を具備することを特徴とする基地局。
【請求項８】
前記送信部は、スリープモードである前記第２通信端末に対して、前記スリープモードから動作モードに切り替える制御信号と共に前記パスロスに関する情報を送信する、
ことを特徴とする請求項７に記載の基地局。
【請求項９】
前記送信部は、前記制御信号と前記パスロスに関する情報を、前記第２通信端末への個別メッセージで送信する、
ことを特徴とする請求項８に記載の基地局。
【発明の詳細な説明】
【技術分野】
【０００１】
本発明は、通信システム、通信端末、及び基地局に関する。
【背景技術】
【０００２】
近年、マシンとマシンとが自律的に通信を行って情報交換するマシン通信（Machine  to  Machine  Communication）が注目されている。例えば、３ＧＰＰ  ＬＴＥ（3rd  Generation  Partnership  Project  Radio  Access  Network  Long  Term  Evolution）では、マシン通信は、ＭＴＣ（Machine  Type  Communication）と呼ばれる。【０００３】
マシン通信を利用することにより、今までネットワークに繋がっていなかったマシンと他のマシンとをネットワークを介して繋げて、様々な情報を有効活用することが検討されている。
【先行技術文献】
【非特許文献】
【０００４】
【非特許文献１】RP-111112,  “Proposed  SID:  Provision  of  low-cost  MTC  UEs  based  on  LTE”,  Vodafone  Group,  3GPP  TSG  RAN  plenary  #  53.
【非特許文献２】R1-112912,  “Overview  on  low-cost  MTC  UEs  based  on  LTE”,  Huawei,  HiSilicon,  CMCC,  3GPP  RAN1#66bis.
【非特許文献３】R1-112917,  “Considerations  on  approaches  for  low-cost  MTC  UEs”,  Sony  Corporation/Sony  Europe  Ltd,  3GPP  RAN1#66bis.
【非特許文献４】R1-112929,  “Standards  aspects  impacting  UE  costs”,  Ericsson,  ST-Ericsson,  3GPP  RAN1#66bis.
【非特許文献５】3GPP  TR  36.888,  “Study  on  provision  of  low-cost  MTC  UEs  based  on  LTE”.
【発明の概要】
【発明が解決しようとする課題】
【０００５】
しかしながら、今までネットワークに繋がっていなかった膨大な数のマシン通信端末がネットワークに繋がるようになるため、システム全体における総処理時間が増大してしまう。このため、システムにおける処理の効率化を図ることが望まれている。【０００６】
開示の技術は、上記に鑑みてなされたものであって、システムにおける処理の効率化を実現できる、通信システム、通信端末、及び基地局を提供することを目的とする。
【課題を解決するための手段】
【０００７】
開示の態様では、通信端末が、前記通信端末が属するグループにおける前記通信端末以外の第１通信端末と前記基地局との間のパスロスに関する情報に基づいて、前記通信端末の送信電力を決定する。
【発明の効果】
【０００８】
開示の態様によれば、システムにおける処理の効率化を実現できる。
【図面の簡単な説明】
【０００９】
【図１】図１は、実施例１の通信システムの一例を示す図である。
【図２】図２は、実施例１の通信端末の一例を示すブロック図である。
【図３】図３は、実施例１の基地局の一例を示すブロック図である。
【図４】図４は、実施例１の通信システムの処理動作の一例を示すシーケンス図である。
【図５】図５は、通信端末のハードウェア構成を示す図である。
【図６】図６は、基地局のハードウェア構成を示す図である。
【発明を実施するための形態】
【００１０】
以下に、本願の開示する通信システム、通信端末、及び基地局の実施形態を図面に基づいて詳細に説明する。なお、この実施形態により本願の開示する通信システム、通信端末、及び基地局が限定されるものではない。また、実施形態において同一の機能を有する構成には同一の符号を付し、重複する説明は省略される。また、以下の説明では、ＬＴＥシステム又は当該ＬＴＥシステムの発展形であるＬＴＥ−Ａｄｖａｎｃｅｄシステムを例にとり説明することがあるが、これに限定されるものではない。
【００１１】
［実施例１］
［通信システムの概要］
図１は、実施例１の通信システムの一例を示す図である。図１において通信システム１は、通信端末１０−１〜６と、基地局５０とを有する。通信端末１０−１〜６は、基地局５０のセルＣ５０内に在圏している。なお、ここでは、６つの通信端末１０−１〜６と１つの基地局５０とを示しているが、これらの数はこれに限定されるものではない。通信端末１０−１〜６は、例えば、自動販売機やガスメータ等のＭＴＣ端末である。以下では、通信端末１０−１〜６を特に区別しない場合には、総称して、単に通信端末１０と呼ぶことがある。
【００１２】
そして、通信端末１０−１〜６は、２つのグループに分けられており、第１のグループには、通信端末１０−１〜３が含まれ、第２のグループには、通信端末１０−４〜６が含まれる。そして、第１のグループの代表（Head）通信端末は、通信端末１０−１であり、第２のグループの代表通信端末は、通信端末１０−４である。これらのグループ及び代表通信端末は、基地局５０によって決定される。例えば、基地局５０は、自身との間のチャネル状態が類似する複数の通信端末１０をグルーピングする。
【００１３】
また、通信端末１０は、スリープモードとワークモード（動作モード）とを有している。スリープモードでは、通信端末１０は、基地局５０から制御信号が送信されてくるタイミングにだけ通信機能部を起動させ、他のタイミングでは通信機能部を停止させている。一方、ワークモードでは、通信端末１０は、随時、通信機能部を起動させている。
【００１４】
代表通信端末１０−１，４は、ワークモードに設定される。また、非代表通信端末である通信端末１０−２，３，５，６は、通常、スリープモードに設定され、基地局５０からウェイクアップメッセージを受け取ることにより、モードをスリープモードからワークモードにモードへ切り替える。これにより、非代表通信端末における消費電力を低減することができる。なお、ウェイクアップメッセージは、非代表通信端末１０のモードをスリープモードからワークモードにモードへ切り替える制御信号である。
【００１５】
そして、代表通信端末１０−１，４のそれぞれは、自身と基地局５０との間のパスロス（ＰＬ）を推定し、推定したパスロスに関する情報を基地局５０へ送信（報告）する。
【００１６】
基地局５０は、代表通信端末１０から受け取ったパスロスに関する情報を、その代表通信端末１０と同じグループの非代表通信端末１０に対して送信（通知）する。すなわち、基地局５０は、代表通信端末１０−１から受け取ったパスロスに関する情報を、代表通信端末１０−１と同じグループの非代表通信端末１０−２，３に対して送信（通知）する。また、基地局５０は、代表通信端末１０−４から受け取ったパスロスに関する情報を、代表通信端末１０−４と同じグループの非代表通信端末１０−５，６に対して送信（通知）する。ここで、基地局５０は、各非代表通信端末１０に対してウェイクアップメッセージを送る際に、ウェイクアップメッセージと共にパスロスに関する情報を送信（通知）してもよい。
【００１７】
非代表通信端末１０は、基地局５０から受け取ったパスロスに関する情報を用いて、自身の送信電力を決定する。例えば、非代表通信端末１０は、次の式（１）を用いて、自身の送信電力を決定する。
【数１】
2014162576.tif 000003
ここで、式（１）において、ＰＴｘＭａｘは、対象の通信端末１０の最大送信電力値である。また、ＰＬは、対象の通信端末１０と基地局５０との間のパスロス値である。また、Ｍは、対象の通信端末１０に対して割り当てられたリソースブロックの数である。また、αは、パスロス補償係数（path  loss  compensation  factor）であり、ゼロから１までの値を取り得る。Ｐ０は、１つのリソースブロックに定義される名目送信電力値（nominal  transmit  power）である。
【００１８】
すなわち、非代表通信端末１０は、自身が属するグループの代表通信端末１０で測定されたパスロスを自身のパスロスとして、自身の送信電力を決定する。これにより、非代表通信端末１０におけるパスロスの測定処理を排除できるので、送信電力制御における処理を軽減することができる。すなわち、システムにおける処理の効率化を図ることができる。
【００１９】
［通信端末の構成例］
図２は、実施例１の通信端末の一例を示すブロック図である。図２において、通信端末１０は、無線部１１と、送信部１２と、受信部１３と、制御部１４と、ＧＰＳ処理部３６とを有する。無線部１１は、送信無線部１５と、受信無線部１６とを有する。送信部１２は、符号化部１７，１８と、変調部１９，２０と、多重部２１と、ＩＦＦＴ（Inverse  Fast  Fourier  Transform）部２２と、ＣＰ（Cyclic  Prefix）付加部２３とを有する。受信部１３は、ＣＰ除去部２４と、ＦＦＴ（Fast  Fourier  Transform）部２５と、分離部２６と、復調部２７と、復号部２８とを有する。制御部１４は、切り替え制御部２９と、スイッチ３０と、パスロス推定部３１と、パスロス送信制御部３２と、送信電力決定部３３と、制御信号生成部３４と、参照信号生成部３５とを有する。
【００２０】
送信無線部１５は、送信部１２から受け取るＯＦＤＭ（Orthogonal  Frequency  Division  Multiplexing）信号に対して所定の送信無線処理、つまりディジタルアナログ変換、アップコンバート、増幅等を施して無線信号を形成し、形成した無線信号をアンテナを介して送信する。なお、送信無線部１５は、ＯＦＤＭ信号を、制御部１４から受け取る送信電力値に増幅する。
【００２１】
受信無線部１６は、アンテナを介して受信した受信信号に対して所定の受信無線処理、つまりダウンコンバート、アナログディジタル変換等を施し、受信無線処理後の受信信号を受信部１３へ出力する。
【００２２】
符号化部１７は、通信端末１０宛ての送信データ、つまりユーザデータに対して符号化処理を行い、符号化処理後の送信データを変調部１９へ出力する。
【００２３】
変調部１９は、符号化部１７から受け取る符号化処理後の送信データを変調し、変調後の送信データを多重部２１へ出力する。
【００２４】
符号化部１８は、制御部１４から受け取る制御信号に対して符号化処理を行い、符号化処理後の制御信号を変調部２０へ出力する。
【００２５】
変調部２０は、符号化部１８から受け取る符号化処理後の制御信号を変調し、変調後の制御信号を多重部２１へ出力する。
【００２６】
多重部２１は、入力信号を所定のリソースにマッピングして多重し、多重信号をＩＦＦＴ部２２へ出力する。
【００２７】
具体的には、多重部２１は、変調部２０から受け取る制御信号を、下り回線制御チャネル（例えば、ＰＤＣＣＨ：Physical  Downlink  Control  Channel）に割り当てられたリソース領域にマッピングする。
【００２８】
また、多重部２１は、変調部１９から受け取る送信データを、宛先の通信端末１０に対して割り当てられた下り回線の割り当てリソースにマッピングする。
【００２９】
また、多重部２１は、制御部１４から受け取る参照信号（Reference  Signal）を所定のリソースにマッピングする。
【００３０】
ＩＦＦＴ部２２は、多重部２１から受け取った多重信号に対して、逆高速フーリエ変換処理を施すことにより、ＯＦＤＭ信号を形成し、形成したＯＦＤＭ信号をＣＰ付加部２３へ出力する。
【００３１】
ＣＰ付加部２３は、ＩＦＦＴ部２２から受け取るＯＦＤＭ信号に対して、シンボル毎にＣＰを付加し、ＣＰを付加したＯＦＤＭ信号を無線部１１へ出力する。
【００３２】
ＣＰ除去部２４は、無線部１１から受け取る受信信号からＣＰを除去し、ＣＰ除去後の受信信号をＦＦＴ部２５へ出力する。
【００３３】
ＦＦＴ部２５は、ＣＰ除去部２４から受け取った受信信号に対して高速フーリエ変換処理を施し、高速フーリエ変換処理後の受信信号を分離部２６へ出力する。
【００３４】
分離部２６は、ＦＦＴ部２５から受け取った受信信号から、制御信号と参照信号とを抽出し、抽出した制御信号を復調部２７へ出力し、抽出した参照信号をパスロス推定部３１へ出力する。
【００３５】
復調部２７は、分離部２６から受け取った制御信号を復調し、復調後の制御信号を復号部２８へ出力する。
【００３６】
復号部２８は、復調部２７から受け取った制御信号を復号する。そして、復号部２８は、復号後の制御信号に含まれる、自身宛の端末種別情報を切り替え制御部２９へ出力し、自身又は自身が属するグループ宛のパスロスに関する情報をスイッチ３０へ出力する。
【００３７】
切り替え制御部２９は、自身宛の端末種別情報に基づいて、スイッチ３０を切り替える。具体的には、切り替え制御部２９は、端末種別情報が非代表通信端末であることを示す場合、復号部２８から出力されたパスロスに関する情報が送信電力決定部３３に入力されるように、スイッチ３０を切り替える。一方、切り替え制御部２９は、端末種別情報が代表通信端末であることを示す場合、パスロス推定部３１から出力されるパスロス推定値が送信電力決定部３３へ入力されるように、スイッチ３０を切り替える。
【００３８】
パスロス送信制御部３２は、自身が代表通信端末である場合、パスロス推定部３１で推定されたパスロス値に関する情報を制御信号生成部３４へ出力する。
【００３９】
送信電力決定部３３は、自身が代表通信端末である場合、パスロス推定部３１で推定されたパスロス値を受け取り、当該パスロス値に基づいて、自身の送信電力を決定する。一方、送信電力決定部３３は、自身が非代表通信端末である場合、復号部２８から出力されたパスロスに関する情報、つまり代表通信端末で推定されたパスロス値に基づいて、自身の送信電力を決定する。送信電力決定部３３は、決定した送信電力の値を送信無線部１５へ出力する。
【００４０】
ＧＰＳ処理部３６は、ＧＰＳを用いて通信端末１０の位置を測定し、測定した位置に関する情報を制御信号生成部３４へ出力する。
【００４１】
制御信号生成部３４は、パスロス送信制御部３２から受け取るパスロスに関する情報を含めた制御信号を生成し、生成した制御信号を符号化部１８へ出力する。また、制御信号生成部３４は、ＧＰＳ処理部３６から受け取る位置情報を含めた制御信号を生成し、生成した制御信号を符号化部１８へ出力する。
【００４２】
参照信号生成部３５は、参照信号を生成し、生成した参照信号を多重部２１へ出力する。
【００４３】
［基地局の構成例］
図３は、実施例１の基地局の一例を示すブロック図である。図３において、基地局５０は、無線部５１と、受信部５２と、送信部５３と、制御部５４とを有する。無線部５１は、受信無線部５５と、送信無線部５６とを有する。受信部５２は、ＣＰ除去部５７と、ＦＦＴ部５８と、分離部５９と、復調部６０，６１と、復号部６２，６３とを有する。送信部５３は、符号化部６４と、変調部６５と、多重部６６と、ＩＦＦＴ部６７と、ＣＰ付加部６８とを有する。制御部５４は、パスロス情報抽出部６９と、チャネル推定部７０と、決定部７１と、ウェイクアップメッセージ生成部７２と、制御信号生成部７３と、参照信号生成部７４とを有する。
【００４４】
受信無線部５５は、アンテナを介して受信した受信信号に対して所定の受信無線処理、つまりダウンコンバート、アナログディジタル変換等を施し、受信無線処理後の受信信号を受信部５２へ出力する。
【００４５】
送信無線部５６は、送信部５３から受け取るＯＦＤＭ信号に対して所定の送信無線処理、つまりディジタルアナログ変換、アップコンバート、増幅等を施して無線信号を形成し、形成した無線信号をアンテナを介して送信する。
【００４６】
ＣＰ除去部５７は、無線部５１から受け取る受信信号からＣＰを除去し、ＣＰ除去後の受信信号をＦＦＴ部５８へ出力する。
【００４７】
ＦＦＴ部５８は、ＣＰ除去部５７から受け取った受信信号に対して高速フーリエ変換処理を施し、高速フーリエ変換処理後の受信信号を分離部５９へ出力する。
【００４８】
分離部５９は、ＦＦＴ部５８から受け取った受信信号から、データ信号と制御信号と参照信号とを抽出し、抽出したデータ信号を復調部６０へ出力し、抽出した制御信号を復調部６１へ出力し、抽出した参照信号をチャネル推定部７０へ出力する。
【００４９】
復調部６０は、分離部５９から受け取ったデータ信号を復調し、復調後のデータ信号を復号部６２へ出力する。
【００５０】
復号部６２は、復調部６０から受け取ったデータ信号を復号し、得られた復号データを後段の機能部へ出力する。
【００５１】
復調部６１は、分離部５９から受け取った制御信号を復調し、復調後の制御信号を復号部６３へ出力する。
【００５２】
復号部６３は、復調部６１から受け取った制御信号を復号し、復号後の制御信号を決定部７１及びパスロス情報抽出部６９へ出力する。
【００５３】
パスロス情報抽出部６９は、復号部６３から受け取った制御信号から、各グループの代表通信端末１０で推定されたパスロスに関する情報を抽出し、制御信号生成部７３へ出力する。
【００５４】
チャネル推定部７０は、各通信端末１０から送信された参照信号に基づいて、各通信端末１０と自身との間のチャネル状態を推定する。
【００５５】
決定部７１は、復号部６３から受け取った制御信号から、各通信端末１０から送信された各通信端末１０の位置情報を抽出し、抽出した位置情報に基づいて、複数の通信端末１０をグルーピングする。具体的には、互いの離間距離が所定値以下の複数の通信端末１０は、互いのチャネル状態が類似していると推定できる。従って、決定部７１は、離間距離が所定値以下の複数の通信端末１０を１つのグループにする。なお、決定部７１は、位置情報の代わりに、チャネル推定部７０で推定されたチャネル状態に基づいて、複数の通信端末１０をグルーピングしてもよい。これにより、位置によれば異なるグループに属する通信端末１０を１つのグループに纏めることができるので、非代表通信端末１０の数を増やすことができる。従って、処理を軽減できる通信端末１０の数を増やすことができるので、システムにおける処理をさらに効率化することができる。
【００５６】
また、決定部７１は、各グループに属する通信端末１０の中から１つの代表通信端末１０を選択する。例えば、決定部７１は、各グループに属する通信端末１０の中で通信機会が最も多い通信端末１０を代表通信端末１０として選択する。
【００５７】
ウェイクアップメッセージ生成部７２は、各非代表通信端末１０のモードをスリープモードからワークモードに切り替えるタイミングに各非代表通信端末１０宛てのウェイクアップメッセージを生成し、制御信号生成部７３へ出力する。
【００５８】
制御信号生成部７３は、決定部７１で決定されたグループ及びグループの代表通信端末１０に関する情報と、グループの識別情報又はグループに属する通信端末１０の宛先情報とを含めた制御信号を生成し、生成した制御信号を符号化部６４へ出力する。
【００５９】
また、制御信号生成部７３は、パスロス情報抽出部６９で抽出されたパスロスに関する情報と、当該情報に対応するグループの識別情報又は当該グループの非代表通信端末１０の宛先情報とを含めた制御信号を生成し、生成した制御信号を符号化部６４へ出力する。また、制御信号生成部７３は、各代表通信端末１０宛てにパスロスの報告周期を含めた制御信号を生成し、生成した制御信号を符号化部６４へ出力する。
【００６０】
また、制御信号生成部７３は、ウェイクアップメッセージ生成部７２で生成されたウェイクアップメッセージを含めた制御信号を生成し、生成した制御信号を符号化部６４へ出力する。
【００６１】
なお、制御信号生成部７３は、パスロス情報抽出部６９で抽出されたパスロスに関する情報と、当該情報に対応するグループの識別情報又は当該グループの非代表通信端末１０の宛先情報とを、ウェイクアップメッセージと一緒に含めた制御信号を生成してもよい。すなわち、送信部５３がウェイクアップメッセージとパスロスに関する情報とを同じタイミングで送信してもよい。これにより、基地局５０と非代表通信端末１０との間のシグナリング量を低減することができる。
【００６２】
また、制御信号生成部７３で制御信号に含められて送信される各情報は、例えば、物理下りリンク制御チャネル（ＰＤＣＣＨ）で送信される。又は、当該各情報は、上位レイヤのチャネルで送信されてもよい。又は、当該各情報は、符号化部１７に入力されて、データチャネルで送信されてもよい。また、当該各情報が送信されるチャネルは、個別チャネルでも共有チャネルでもよい。
【００６３】
［通信システムの動作例］
以上の構成を有する通信システム１の処理動作について説明する。図４は、実施例１の通信システムの処理動作の一例を示すシーケンス図である。ここでは、図１で示した第１のグループを例にとって説明する。
【００６４】
通信端末１０−１〜３は、自身の位置情報を含む制御信号を基地局５０へそれぞれ送信する（ステップＳ１０１）。
【００６５】
基地局５０は、通信端末１０−１〜３から送信された制御信号に基づいて、決定部７１でグループの決定及び各グループの代表通信端末１０の決定を行う（ステップＳ１０２）。具体的には、決定部７１は、制御信号から位置情報を抽出し、抽出した位置情報に基づいて、離間距離が所定値以下の複数の通信端末１０を１つのグループにする。ここでは、基地局５０が通信端末１０−１〜３を同じグループにしていることを前提としている。そして、基地局５０は、例えば、各グループで通信機会の最も多い通信端末１０を、各グループの代表通信端末１０として選択する。ここでは、基地局５０が通信端末１０−１を第１のグループの代表通信端末１０として選択していることを前提としている。
【００６６】
基地局５０は、各通信端末１０に対して、各通信端末１０が属するグループの識別情報及びそのグループにおける代表通信端末１０に関する情報を送信する（ステップＳ１０３）。この送信には、例えば、物理下りリンク制御チャネル（ＰＤＣＣＨ）を用いることができる。
【００６７】
基地局５０は、代表通信端末１０、ここでは通信端末１０−１に対して、報告周期に関する情報を上位レイヤのシグナリングによって通知する（ステップＳ１０４）。
【００６８】
基地局５０は、参照信号を送信する（ステップＳ１０５）。
【００６９】
代表通信端末１０である通信端末１０−１は、基地局５０から送信された参照信号に基づいて、自身と基地局５０との間のパスロスを推定し（ステップＳ１０６）、推定したパスロスに関する情報を基地局５０へ送信（報告）する（ステップＳ１０７）。
【００７０】
基地局５０は、第１のグループの非代表通信端末１０をワークモードに切り替えるタイミングで、ウェイクアップメッセージをその非代表通信端末１０、ここでは通信端末１０−２，３へ送信する（ステップＳ１０８）。このとき、基地局５０は、ウェイクアップメッセージと共に、代表通信端末１０から報告されたパスロスに関する情報を、非代表通信端末１０へ送信する。
【００７１】
各通信端末１０は、取得したパスロスを用いて、自身の送信電力を決定する（ステップＳ１０９）。具体的には、代表通信端末１０である通信端末１０−１は、自身で推定したパスロス値を用いて、自身の送信電力を決定する。一方、非代表通信端末１０である通信端末１０−２，３は、基地局５０を介して受け取った、通信端末１０−１で推定されたパスロス値を用いて、自身の送信電力を決定する。ここで、通信端末１０−２，３は、ウェイクアップメッセージと一緒にパスロスに関する情報を受け取っているので、自身のモードがワークモードに切り替わると直ぐに、自身の送信電力を算出することができる。
【００７２】
基地局５０は、通信端末１０−１〜３のそれぞれについてスケジューリングを行い、割り当てたリソースブロックに関する情報を通信端末１０−１〜３のそれぞれに送信する（ステップＳ１１０）。
【００７３】
通信端末１０−１〜３のそれぞれは、自身に割り当てられたリソースブロックを用いて、データを送信する（ステップＳ１１１）。この送信には、例えば、物理上りリンク共有チャネル（ＰＵＳＣＨ）が用いられる。
【００７４】
以上のように本実施例によれば、非代表通信端末である通信端末１０において、受信部１３が、基地局５０から送信された、自身が属するグループにおける代表通信端末である通信端末１０と基地局５０との間のパスロスに関する情報を受信する。そして、送信電力決定部３３は、受信部１３で受信したパスロスに関する情報に基づいて、自身の送信電力を決定する。
【００７５】
この通信端末１０の構成により、非代表通信端末である場合には、自身と基地局５０との間のパスロスを推定せずに、代表通信端末である通信端末１０で推定されたパスロスを自身の送信電力の決定に利用できる。これにより、非代表通信端末である通信端末１０におけるパスロスの測定処理を排除できるので、送信電力制御における処理を軽減することができる。すなわち、システムにおける処理の効率化を図ることができる。
【００７６】
また、非代表通信端末１０は、通常、スリープモードに設定され、基地局５０からウェイクアップメッセージを受け取ることにより、モードをスリープモードからワークモードにモードへ切り替える。これにより、非代表通信端末における消費電力を低減することができる。
【００７７】
非代表通信端末１０は、ウェイクアップメッセージと共にパスロスに関する情報を受信する。これにより、自身のモードがワークモードに切り替わると直ぐに、非代表通信端末１０の送信電力を決定できる。
【００７８】
また、基地局５０において、受信部５２が、代表通信端末１０から送信された、代表通信端末１０と自身との間のパスロスに関する情報を受信する。そして、送信部５３が、受信部５２で受信したパスロスに関する情報を、その代表通信端末１０のグループに属する非代表通信端末１０へ送信する。
【００７９】
この基地局５０の構成により、非代表通信端末１０におけるパスロスの測定処理を排除できるので、送信電力制御における処理を軽減することができる。すなわち、システムにおける処理の効率化を図ることができる。
【００８０】
また、送信部５３は、ウェイクアップメッセージと共にパスロスに関する情報を送信する。これにより、基地局５０と非代表通信端末１０との間のシグナリング量を低減することができる。
【００８１】
［他の実施例］
実施例１で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８２】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００８３】
実施例１の通信端末及び基地局は、例えば、次のようなハードウェア構成により実現することができる。
【００８４】
図５は、通信端末のハードウェア構成例を示す図である。図５に示すように、通信端末１００は、ＲＦ（Radio  Frequency）回路１０１と、ＧＰＳ回路１０２と、プロセッサ１０３と、メモリ１０４とを有する。
【００８５】
プロセッサ１０３の一例としては、ＣＰＵ（Central  Processing  Unit）、ＤＳＰ（Digital  Signal  Processor）、ＦＰＧＡ（Field  Programmable  Gate  Array）等が挙げられる。また、メモリ１０４の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００８６】
そして、実施例１の通信端末で行われる各種処理機能は、不揮発性記憶媒体などの各種メモリに格納されたプログラムを増幅装置が備えるプロセッサで実行することによって実現してもよい。すなわち、送信部１２と、受信部１３と、制御部１４とによって実行される各処理に対応するプログラムがメモリ１０４に記録され、各プログラムがプロセッサ１０３で実行されてもよい。また、送信部１２と、受信部１３と、制御部１４とよって実行される各処理は、ベースバンドＣＰＵ及びアプリケーションＣＰＵ等の複数のプロセッサによって分担されて実行されてもよい。また、無線部１１は、ＲＦ回路１０１によって実現される。また、ＧＰＳ処理部３６は、ＧＰＳ回路１０２によって実現される。
【００８７】
図６は、基地局のハードウェア構成例を示す図である。図６に示すように、基地局２００は、ＲＦ回路２０１と、プロセッサ２０２と、メモリ２０３と、ネットワークＩＦ（Inter  Face）２０４とを有する。プロセッサ２０２の一例としては、ＣＰＵ、ＤＳＰ、ＦＰＧＡ等が挙げられる。また、メモリ２０３の一例としては、ＳＤＲＡＭ等のＲＡＭ、ＲＯＭ、フラッシュメモリ等が挙げられる。
【００８８】
そして、実施例１の基地局で行われる各種処理機能は、不揮発性記憶媒体などの各種メモリに格納されたプログラムを増幅装置が備えるプロセッサで実行することによって実現してもよい。すなわち、受信部５２と、送信部５３と、制御部５４とによって実行される各処理に対応するプログラムがメモリ２０３に記録され、各プログラムがプロセッサ２０２で実行されてもよい。
【符号の説明】
【００８９】
１  通信システム
１０  通信端末
１１，５１  無線部
１２，５３  送信部
１３，５２  受信部
１４，５４  制御部
１５，５６  送信無線部
１６，５５  受信無線部
１７，１８，６４  符号化部
１９，２０，６５  変調部
２１，６６  多重部
２２，６７  ＩＦＦＴ部
２３，６８  ＣＰ付加部
２４，５７  ＣＰ除去部
２５，５８  ＦＦＴ部
２６，５９  分離部
２７，６０，６１  復調部
２８，６２，６３  復号部
２９  切り替え制御部
３０  スイッチ
３１  パスロス推定部
３２  パスロス送信制御部
３３  送信電力決定部
３４，７３  制御信号生成部
３５，７４  参照信号生成部
３６  ＧＰＳ処理部
５０  基地局
６９  パスロス情報抽出部
７０  チャネル推定部
７１  決定部
７２  ウェイクアップメッセージ生成部
【図１】
2014162576.tif 000004
【図２】
2014162576.tif 000005
【図３】
2014162576.tif 000006
【図４】
2014162576.tif 000007
【図５】
2014162576.tif 000008
【図６】
2014162576.tif 000009
【国際調査報告】
2014162576.tif 000010
2014162576.tif 000011